(57)【要約】【課題】表示画像に視覚的な効果を付加できる画像表示装置を提供する。【解決手段】画像表示装置は、画像を表示する表示手段４と、表示手段４を制御する制御手段とを備える。表示手段４は、第１表示部４１と、第１表示部４１の表示面４１Ａの少なくとも一部の領域を囲むように配設され表示面４１Ａに平行する回動軸４２１，４３１が設けられた２つの第２表示部４２，４３とを備える。制御手段は、表示制御部と、第１表示部４１および各第２表示部４２，４３の配置状態を変更する配置制御部とを備える。配置制御部は、回動軸４２１，４３１を中心として各第２表示部４２，４３を回動させ、表示面４１Ａに対する各第２表示部４２，４３の表示面４２Ａ，４３Ａの傾斜角度を変更する。【選択図】図４
2009195371.tif 000002
【特許請求の範囲】
【請求項１】
画像を表示する表示手段と、前記表示手段を制御する制御手段とを備えた画像表示装置であって、
前記表示手段は、
第１表示部と、前記第１表示部の表示面の少なくとも一部の領域を囲むように配設され前記第１表示部の表示面に平行する回動軸が設けられた複数の第２表示部とを備え、
前記制御手段は、
画像情報に基づく画像を前記表示手段に表示させる表示制御部と、前記第１表示部および前記複数の第２表示部の配置状態を変更する配置制御部とを備え、
前記配置制御部は、
前記回動軸を中心として前記第２表示部を回動させ、前記第１表示部の表示面に対する前記第２表示部の表示面の傾斜角度を変更する
ことを特徴とする画像表示装置。
【請求項２】
画像を表示する表示手段と、前記表示手段を制御する制御手段とを備えた画像表示装置であって、
前記表示手段は、
第１表示部と、前記第１表示部の表示面側に配設され前記第１表示部の表示面に平行する回動軸が設けられた複数の第２表示部とを備え、
前記制御手段は、
画像情報に基づく画像を前記表示手段に表示させる表示制御部と、前記第１表示部および前記複数の第２表示部の配置状態を変更する配置制御部とを備え、
前記配置制御部は、
前記回動軸を中心として前記第２表示部を回動させ、前記複数の第２表示部が前記第１表示部の表示面全体を覆う第１の姿勢、または前記第２表示部の表示面が前記第１表示部の表示面に対して傾斜し前記第１表示部の表示面の少なくとも一部の領域が露出する第２の姿勢に変更する
ことを特徴とする画像表示装置。
【請求項３】
請求項１または請求項２に記載の画像表示装置において、
前記複数の第２表示部は、前記第１表示部の表示面側に配設され、
前記回動軸は、前記第１表示部の表示面に平行し前記回動軸に直交する方向に前記第２表示部とともに移動可能に構成され、
前記配置制御部は、
前記回動軸とともに前記第２表示部を移動させ、前記第１表示部の表示面における露出する領域を変更する
ことを特徴とする画像表示装置。
【請求項４】
遊技用画像を表示する表示装置を備えた遊技機であって、
前記表示装置は、請求項１から請求項３のいずれかに記載の画像表示装置を備える
ことを特徴とする遊技機。
【発明の詳細な説明】
【技術分野】
【０００１】
本発明は、画像表示装置、および遊技機に関する。
【背景技術】
【０００２】
従来、パチンコ機やスロットマシン等の遊技機において、遊技盤に形成された表示窓から液晶パネル等の画像表示装置を露出させ、文字や数字等の絵柄がスクロールするような抽選画像や背景画像等の遊技用画像を画像表示装置に表示させる構成が知られている（例えば、特許文献１参照）。
【０００３】
【特許文献１】特開２００１−１３７４３９号公報
【発明の開示】
【発明が解決しようとする課題】
【０００４】
しかしながら、このような画像表示装置が設けられたパチンコ機では、遊技用画像を多彩にしても、演出が単調となりやすく、遊技者に飽きられやすいという問題がある。
【０００５】
本発明の目的は、表示画像に視覚的な効果を付加できる画像表示装置、および遊技機を提供することにある。
【課題を解決するための手段】
【０００６】
本発明の画像表示装置は、画像を表示する表示手段と、前記表示手段を制御する制御手段とを備えた画像表示装置であって、前記表示手段は、第１表示部と、前記第１表示部の表示面の少なくとも一部の領域を囲むように配設され前記第１表示部の表示面に平行する回動軸が設けられた複数の第２表示部とを備え、前記制御手段は、画像情報に基づく画像を前記表示手段に表示させる表示制御部と、前記第１表示部および前記複数の第２表示部の配置状態を変更する配置制御部とを備え、前記配置制御部は、前記回動軸を中心として前記第２表示部を回動させ、前記第１表示部の表示面に対する前記第２表示部の表示面の傾斜角度を変更することを特徴とする。
【０００７】
本発明では、画像表示装置は、第１表示部および複数の第２表示部を有する表示手段と、表示制御部および配置制御部を有する制御手段とを備える。このことにより、配置制御部による制御により、第２表示部の表示面が第１表示部の表示面に対して平行あるいは同一平面上に位置するように表示手段の配置状態を設定すれば、表示手段全体の表示面を略平坦状の表示面とすることができる。また、配置制御部による制御により、各第２表示部の表示面が第１表示部の表示面に対して傾斜するように表示手段の配置状態を設定すれば、表示手段全体の表示面を奥行きのある立体的な表示面とすることができる。このため、表示制御部による制御によって、略平坦状の表示面に画像を表示させたり、立体的な表示面に画像を表示させたりすることができ、表示画像に視覚的な効果を付加できる。
したがって、例えば、画像表示装置を遊技機に搭載すれば、多彩な演出を実現できるため、遊技者にインパクトを与え、遊技者に飽きられることがない。
【０００８】
本発明の画像表示装置は、画像を表示する表示手段と、前記表示手段を制御する制御手段とを備えた画像表示装置であって、前記表示手段は、第１表示部と、前記第１表示部の表示面側に配設され前記第１表示部の表示面に平行する回動軸が設けられた複数の第２表示部とを備え、前記制御手段は、画像情報に基づく画像を前記表示手段に表示させる表示制御部と、前記第１表示部および前記複数の第２表示部の配置状態を変更する配置制御部とを備え、前記配置制御部は、前記回動軸を中心として前記第２表示部を回動させ、前記複数の第２表示部が前記第１表示部の表示面全体を覆う第１の姿勢、または前記第２表示部の表示面が前記第１表示部の表示面に対して傾斜し前記第１表示部の表示面の少なくとも一部の領域が露出する第２の姿勢に変更することを特徴とする。
【０００９】
本発明では、画像表示装置は、第１表示部および複数の第２表示部を有する表示手段と、表示制御部および配置制御部を有する制御手段とを備える。このことにより、配置制御部による制御により、表示手段が第１の姿勢に設定されれば、第１表示部の表示面全体が各第２表示部にて覆われ、視認可能な表示手段全体の表示面を、各第２表示部全体の略平坦状の表示面とすることができる。また、配置制御部による制御により、表示手段が第２の姿勢に設定されれば、各第２表示部の各表示面が第１表示部の表示面に対して傾斜して第１表示部の表示面の少なくとも一部の領域が露出し、表示手段全体の表示面を奥行きのある立体的な表示面とすることができる。このため、表示制御部による制御によって、略平坦状の表示面に画像を表示させたり、立体的な表示面に画像を表示させたりすることができ、表示画像に視覚的な効果を付加できる。
したがって、例えば、画像表示装置を遊技機に搭載すれば、多彩な演出を実現できるため、遊技者にインパクトを与え、遊技者に飽きられることがない。
【００１０】
本発明の画像表示装置では、前記複数の第２表示部は、前記第１表示部の表示面側に配設され、前記回動軸は、前記第１表示部の表示面に平行し前記回動軸に直交する方向に前記第２表示部とともに移動可能に構成され、前記配置制御部は、前記回動軸とともに前記第２表示部を移動させ、前記第１表示部の表示面における露出する領域を変更することが好ましい。
【００１１】
本発明では、回動軸が上述したように構成され、配置制御部が上述した制御を実施するので、第１表示部の表示面における視認可能な領域を拡大あるいは縮小することができる。このため、表示制御部による制御によって、第１表示部の表示面において、縮小された領域のみに画像を表示させたり、拡大された領域にも画像を表示させたりすることができ、より多彩な画像表示を実現できる。
【００１２】
本発明の遊技機は、遊技用画像を表示する表示装置を備えた遊技機であって、前記表示装置は、上述した画像表示装置を備えることを特徴とする。
本発明によれば、遊技機は、上述した画像表示装置を備えるので、上述した画像表示装置と同様の作用および効果を享受できる。
【発明を実施するための最良の形態】
【００１３】
[第１実施形態]
以下、本発明の第１実施形態を図面に基づいて説明する。
〔パチンコ機の外観構成〕
図１は、第１実施形態における遊技機としてのパチンコ機１の外観を示す斜視図である。
パチンコ機１は、所定の確率に設定された抽選によって「大当たり」が生じるパチンコ機であり、図１に示すように、遊技機構２と、画像表示装置３と、これら遊技機構２および画像表示装置３を制御する主制御装置（図示略）にて大略構成されている。
【００１４】
遊技機構２は、図１に示すように、枠体２１と、入賞口２２１、スタートチャッカ２２２、大入賞口２２３等が設けられ、遊技球が落下しつつ移動する遊技盤２２と、遊技盤２２の全面を覆う透光板を有する前扉２３と、遊技球を発射するためのハンドル２４等を備える。そして、遊技機構２は、遊技者によるハンドル２４の操作により、遊技球を遊技盤２２上に射出する。
【００１５】
前記主制御装置は、パチンコ機１全体の動作を制御する。
例えば、前記主制御装置は、遊技球が遊技盤２２に設けられた入賞口２２１、スタートチャッカ２２２、大入賞口２２３等に入賞した場合、遊技機構２に所定数の遊技球を払い出させる。
また、例えば、前記主制御装置は、スタートチャッカ２２２に遊技球が入賞した場合には、大当たり抽選である旨の制御コマンドを画像表示装置３に出力するとともに、大当たり抽選を実施する。
さらに、例えば、前記主制御装置は、上記大当たり抽選の結果、大当たりとなった場合には、大当たりである旨の制御コマンドを画像表示装置３に出力する。さらに、前記主制御装置は、大当たりとなった後、所定時間の経過、あるいは、所定数の遊技球が大入賞口２２３に入賞した場合に、大当たりが終了した旨の制御コマンドを画像表示装置３に出力する。
【００１６】
〔画像表示装置の構成〕
図２は、画像表示装置３の構成を示すブロック図である。
画像表示装置３は、前記主制御装置からの制御コマンドに応じて、抽選画像や背景画像等の遊技用画像を表示する。この画像表示装置３は、図２に示すように、表示手段４と、駆動手段５と、制御手段６とを備える。
【００１７】
図３および図４は、表示手段４の構成を模式的に示す図である。具体的に、図３は、「大当たり」が生じた場合での特定演出時を除く他の通常時での表示手段４の通常姿勢を示す図である。図４は、特定演出時での表示手段４の特定演出姿勢を示す図である。また、図３（Ａ），図４（Ａ）は表示手段４を上方側から見た図であり、図３（Ｂ），図４（Ｂ）は表示手段４を前面側から見た図である。なお、図４（Ａ）に示す２点鎖線は、図３（Ａ）の通常姿勢に設定された表示手段４の配置状態を示している。
表示手段４は、図１に示すように、遊技盤２２の略中央部分に形成された矩形状の表示窓２２４を介して露出し、外部から視認可能に構成され、制御手段６による制御の下、遊技用画像を表示する。この表示手段４は、図１ないし図４に示すように、第１表示部４１と、左側第２表示部４２と、右側第２表示部４３とを備える。
【００１８】
第１表示部４１は、具体的な図示は省略したが、導光板および導光板に光束を導入する冷陰極管等を有するバックライトと、バックライトの前面側に配設されバックライトから射出された光束を変調して画像を形成する透過型液晶パネル等を備えた全体略矩形板状の液晶表示装置で構成されている。
そして、この第１表示部４１は、図４に示すように、図示しないレールに沿って前面側および背面側に平行移動可能に構成されている。
【００１９】
各第２表示部４２，４３は、第１表示部４１の外形形状よりも小さい全体略矩形板状の液晶表示装置で構成され、第１表示部４１の前面側において、第１表示部４１の表示面４１Ａにおける左右方向の中央部分の領域を挟んで左右両端側にそれぞれ配設されている。
第１表示部４１の前面左側に配設される左側第２表示部４２において、左側端部には、図３または図４に示すように、第１表示部４１の表示面４１Ａに平行し鉛直方向に沿う回動軸４２１が設けられている。そして、左側第２表示部４２は、回動軸４２１を中心として回動可能に軸支されている。
また、回動軸４２１は、図４に示すように、図示しないレールに沿って表示面４１Ａに平行する左右方向に平行移動可能に構成されている。
なお、第１表示部４１の前面右側に配設される右側第２表示部４３も、左側第２表示部４２と略同様の構造を有し、左側第２表示部４２に対して、表示面４１Ａに平行し鉛直方向に沿う回動軸４３１が右側端部に設けられている点が異なる。
【００２０】
駆動手段５は、具体的な図示は省略したが、スピンドルモータやソレノイド等で構成され、図２に示すように、第１スライド駆動部５１と、左側回動駆動部５２と、右側回動駆動部５３と、左側第２スライド駆動部５４と、右側第２スライド駆動部５５とを備える。
第１スライド駆動部５１は、第１表示部４１に応じて設けられ、駆動することで、第１表示部４１を前面側および背面側に平行移動させる。
左側回動駆動部５２は、左側第２表示部４２に応じて設けられ、駆動することで、回動軸４２１を中心として左側第２表示部４２を回動させる。
右側回動駆動部５３は、右側第２表示部４３に応じて設けられ、駆動することで、回動軸４３１を中心として右側第２表示部４３を回動させる。
左側第２スライド駆動部５４は、左側第２表示部４２に応じて設けられ、駆動することで、回動軸４２１（左側第２表示部４２）を左右方向に平行移動させる。
右側第２スライド駆動部５５は、右側第２表示部４３に応じて設けられ、駆動することで、回動軸４３１（右側第２表示部４３）を左右方向に平行移動させる。
【００２１】
制御手段６は、前記主制御装置からの制御コマンドに応じて画像信号を生成し、表示手段４に出力して、表示手段４に所定の演出パターンの遊技用画像を表示させる。また、制御手段６は、前記主制御装置からの制御コマンドに応じて駆動手段５の動作を制御し、表示手段４の配置状態を変更する。この制御手段６は、ＣＰＵ(Central Processing Unit)６１と、プログラムＲＯＭ(Read Only Memory)６２と、配置制御部６３と、表示制御部６４と、ＣＧＲＯＭ(Character Generator ROM)６５等を備える。
プログラムＲＯＭ６２には、表示手段４に各種演出パターンの遊技用画像を表示させるための表示手順等が形成された表示プログラム等が格納されている。
ＣＰＵ６１は、前記主制御装置から出力される制御コマンドを認識して、プログラムＲＯＭ６２に格納された表示プログラムを読み出し、該表示プログラムにしたがって、配置制御部６３や表示制御部６４に制御信号を出力する。
【００２２】
配置制御部６３は、ＣＰＵ６１からの制御信号に応じて駆動手段５の動作を制御し、表示手段４の配置状態を変更する。
例えば、前記主制御装置から画像表示装置３に対して大当たりが終了した旨の制御コマンドが出力された時（通常時）には、配置制御部６３は、以下に示すように、駆動手段５の動作を制御し、表示手段４を通常姿勢（第１の姿勢）に設定する。なお、以下では、図３および図４に基づいて説明する。
すなわち、配置制御部６３は、各回動駆動部５２，５３の動作を制御して各回動軸４２１，４３１を中心として各第２表示部４２，４３を回動させ、表示面４１Ａに対して各第２表示部４２，４３の各表示面４２Ａ，４３Ａが平行するように各第２表示部４２，４３を位置付ける。
【００２３】
また、配置制御部６３は、第１スライド駆動部５１の動作を制御して第１表示部４１を前面側に移動させ、各第２表示部４２，４３の背面に近接する位置に第１表示部４１を位置付ける。
そして、配置制御部６３は、左側第２スライド駆動部５４の動作を制御して回動軸４２１を右方向に移動させ、表示面４１Ａの左側の領域を覆う位置に左側第２表示部４２を位置付ける。同様に、配置制御部６３は、右側第２スライド駆動部５５の動作を制御して、表示面４１Ａの右側の領域を覆う位置に右側第２表示部４３を位置付ける。
以上のような通常姿勢に設定されることで、表示手段４は、図３に示すように、各表示面４１Ａ〜４３Ａが全体として正面視矩形形状を有し略平坦状の表示面４Ａ１となる。また、第１表示部４１の表示面４１Ａは、各第２表示部４２，４３により左右両側の領域が隠され、中央部分の領域のみが視認可能となる。
【００２４】
また、例えば、前記主制御装置から画像表示装置３に対して大当たりである旨の制御コマンドが出力された時（特定演出時）には、配置制御部６３は、以下に示すように、駆動手段５の動作を制御し、表示手段４を特定演出姿勢（第２の姿勢）に設定する。なお、以下では、上記同様に、図３および図４に基づいて説明する。
すなわち、配置制御部６３は、左側第２スライド駆動部５４の動作を制御して回動軸４２１を左方向に移動させ、表示面４１Ａの左側の領域が視認可能となる位置に左側第２表示部４２を位置付ける。同様に、配置制御部６３は、右側第２スライド駆動部５５の動作を制御して、表示面４１Ａの右側の領域が視認可能となる位置に右側第２表示部４３を位置付ける。
【００２５】
また、配置制御部６３は、第１スライド駆動部５１の動作を制御して第１表示部４１を背面側に移動させ、各第２表示部４２，４３の背面から離間する位置に第１表示部４１を位置付ける。
そして、配置制御部６３は、各回動駆動部５２，５３の動作を制御して各回動軸４２１，４３１を中心として各第２表示部４２，４３を回動させ、表示面４１Ａに対して各表示面４２Ａ，４３Ａが傾斜するように各第２表示部４２，４３を位置付ける。
以上のような特定演出姿勢に設定されることで、表示手段４は、図４に示すように、各表示面４１Ａ〜４３Ａが全体として正面視矩形形状を有し横断面略凸状の立体的な表示面４Ａ２となる。
【００２６】
ＣＧＲＯＭ６５には、表示手段４に表示させる抽選画像や背景画像等に関する複数の遊技用画像データ（画像情報）が格納されている。
表示制御部６４は、ＣＰＵ６１からの制御信号を認識して、ＣＧＲＯＭ６５に格納された所定の遊技用画像データを図示しない表示バッファに仮想的に描画することにより、遊技用画像に基づく画像信号を生成して表示手段４に出力し、表示手段４に遊技用画像を表示させる。
例えば、通常時には、表示制御部６４は、第１表示部４１における表示面４１Ａの左右方向の中央部分の領域、および各第２表示部４２，４３に遊技用画像を表示させる。図３の例では、前記主制御装置から画像表示装置３に対して大当たり抽選である旨の制御コマンドが出力され、表示制御部６４は、左側第２表示部４２、第１表示部４１における表示面４１Ａの左右方向の中央部分の領域、および右側第２表示部４３にそれぞれ「１」、「２」、「３」の数字（抽選画像）を表示させている。
また、例えば、特定演出時には、表示制御部６４は、第１表示部４１における表示面４１Ａ全体、および各第２表示部４２，４３に遊技用画像を表示させる。図４の例では、表示制御部６４は、左側第２表示部４２、第１表示部４１における左右方向の中央部分の領域、および右側第２表示部４３にそれぞれ「７」の数字（抽選画像）を表示させるとともに、表示面４１Ａの左側および右側の領域に花火が連続して打ち上げられた状態を模した背景画像を表示させている。
【００２７】
上述した第１実施形態によれば、以下に示す効果がある。
本実施形態では、画像表示装置３は、第１表示部４１および各第２表示部４２，４３を有する表示手段４と、表示制御部６４および配置制御部６３を有する制御手段６とを備える。このことにより、配置制御部６３による制御により、表示手段４が通常姿勢に設定されれば、表示手段４全体の表示面４Ａ１を略平坦状の表示面とすることができる。また、配置制御部６３による制御により、表示手段４が特定演出姿勢に設定されれば、各第２表示部４２，４３の各表示面４２Ａ，４３Ａが第１表示部４１の表示面４１Ａに対して傾斜するため、表示手段４全体の表示面４Ａ２を横断面略凸状の奥行きのある立体的な表示面とすることができる。このため、表示制御部６４による制御によって、略平坦状の表示面４Ａ１に画像を表示させたり、立体的な表示面４Ａ２に画像を表示させたりすることができ、表示画像に視覚的な効果を付加できる。
そして、本実施形態では、画像表示装置３をパチンコ機１に搭載しているので、通常時や特定演出時において表示手段４の配置状態を変更して多彩な演出を実現できるため、遊技者にインパクトを与え、遊技者に飽きられることがない。
【００２８】
また、各回動軸４２１，４３１は、各第２表示部４２，４３とともに左右方向に移動可能に構成されている。そして、配置制御部６３は、通常姿勢から特定演出姿勢に表示手段４を設定する際、第１表示部４１の表示面４１Ａにおける視認可能な領域を拡大するように回動軸４２１，４３１（各第２表示部４２，４３）を左右方向に移動させる。このことにより、表示制御部６４による制御により、第１表示部４１の表示面４１Ａにおける左右方向の中央部分の領域のみならず拡大した左側および右側の領域にも遊技用画像を表示させることができ、より多彩な画像表示を実現できる。
【００２９】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図５および図６は、第２実施形態における表示手段４の構成を模式的に示す図である。具体的に、図５は、通常時での表示手段４の通常姿勢を示す図である。図６は、特定演出時での表示手段４の特定演出姿勢を示す図である。また、図５（Ａ），図６（Ａ）は表示手段４を上方側から見た図であり、図５（Ｂ），図６（Ｂ）は表示手段４を前面側から見た図である。なお、図６（Ａ）に示す２点鎖線は、図５（Ａ）の通常姿勢に設定された表示手段４の配置状態を示している。
本実施形態では、前記第１実施形態に対して、以下の点が異なるものである。
すなわち、本実施形態では、表示手段４は、各表示部４１〜４３が透過型液晶パネルで構成され、各表示部４１〜４３にて形成した遊技用画像を重畳表示可能に構成されている。具体的な図示は省略したが、表示手段４の背面側には光源装置が配設され、前記光源装置から射出された光束Ｌが表示手段４全体に照射されるように構成されている。
【００３０】
また、本実施形態では、前記第１実施形態で説明した第１スライド駆動部５１が省略され、第１表示部４１は、前面側および背面側に移動しない。また、前記第１実施形態で説明した各第２スライド駆動部５４，５５が省略され、各第２表示部４２，４３は、各回動軸４２１，４３１を中心とする回動のみ可能とし、左右方向に移動しない。すなわち、本実施形態では、前記第１実施形態に対して、表示手段４の通常時での通常姿勢（第１の姿勢）、および特定演出時での特定演出姿勢（第２の姿勢）が異なるものとなっている。
【００３１】
具体的に、各第２表示部４２，４３は、図５または図６に示すように、第１表示部４１に対して前面側の離間した位置に配設されている。
そして、通常時には、配置制御部６３は、各回動駆動部５２，５３の動作を制御して回動軸４２１，４３１を中心として各第２表示部４２，４３を回動させ、表示面４１Ａに対して各表示面４２Ａ，４３Ａが平行するとともに、各回動軸４２１，４３１から離間した側の端部同士が近接し、第１表示部４１が各第２表示部４２，４３にて覆われるように各第２表示部４２，４３を位置付ける。
以上のような制御により、表示手段４は、図５に示すように、通常姿勢に設定される。そして、通常姿勢に設定されることで、表示手段４は、表示面４１Ａ全体が各表示面４２Ａ，４３Ａにて隠され、各表示面４２Ａ，４３Ａが正面視矩形形状を有し平坦状の視認可能な表示面４Ａ１となる。
【００３２】
また、特定演出時には、配置制御部６３は、各回動駆動部５２，５３の動作を制御して回動軸４２１，４３１を中心として各第２表示部４２，４３を回動させ、表示面４１Ａに対して各表示面４２Ａ，４３Ａが傾斜するとともに、表示面４１Ａの左右方向の中央部分の領域が露出するように各第２表示部４２，４３を位置付ける。
以上のような制御により、表示手段４は、図６に示すように、特定演出姿勢に設定される。そして、特定演出姿勢に設定されることで、表示手段４は、各表示面４１Ａ〜４３Ａが全体として正面視矩形形状を有し横断面略凸状の立体的な表示面４Ａ２となる。
【００３３】
上述した第２実施形態によれば、前記第１実施形態と同様の効果の他、以下の効果がある。
本実施形態では、表示手段４は、各表示部４１〜４３が透過型液晶パネルで構成され、各表示部４１〜４３にて形成した遊技用画像を重畳表示可能に構成されている。このことにより、表示制御部６４による制御によって、以下に示すように、多彩な画像表示を実現できる。
すなわち、通常時において、第１表示部４１に白画像を表示させれば、表示面４Ａ１には、各第２表示部４２，４３の遊技用画像のみが表示される。ここで、第１表示部４１にも遊技用画像を表示させれば、表示面４Ａ１に表示された各第２表示部４２，４３の遊技用画像に第１表示部４１の遊技用画像を重畳させて表示させることができる。また、各第２表示部４２，４３に白画像を表示させれば、第１表示部４１の遊技用画像のみを表示面４Ａ１に表示させることができる。
また、特定演出時において、各表示部４１〜４３に遊技用画像を表示させれば、表示面４Ａ２における各領域４Ａ２１，４Ａ２２（図６）にて第１表示部４１と各第２表示部４２，４３とが平面的に重なっているため、各領域４Ａ２１，４Ａ２２で第１表示部４１の遊技用画像と各第２表示部４２，４３の遊技用画像とを重畳させて表示させることができる。このため、表示面４Ａ２に表示される遊技用画像を全体として切れ目のない連続した画像とすることができる。
【００３４】
なお、本発明は前述の実施形態に限定されるものではなく、本発明の目的を達成できる範囲での変形、改良等は本発明に含まれるものである。
前記各実施形態において、第２表示部の数および配設位置は、前記各実施形態で説明した数および配設位置に限らない。
例えば、前記各実施形態では、各第２表示部４２，４３は、２つ設けられていたが、３つ以上設けてもよい。また、各第２表示部４２，４３は、左右方向に並んで配設されていたが、上下方向に並んで配設してもよい。
【００３５】
図７は、前記第１実施形態の変形例を示す図である。具体的に、表示手段４を上方側から見た模式図である。
前記第１実施形態では、各表示部４２，４３は、第１表示部４１の前面側において、第１表示部４１の表示面４１Ａにおける左右方向の中央部分の領域を挟むように配設されていたが、これに限らず、図７に示すように、表示面４１Ａ全体を挟むように、第１表示部４１の側端部に対向配置してもよい。この際、各回動軸４２１，４３１としては、図７（Ａ）に示すように、左側第２表示部４２の右側端部、および右側第２表示部４３の左側端部に設ける。そして、このような構成では、図７（Ａ）に示すように、通常時での通常姿勢（第１の姿勢）において、各表示面４１Ａ〜４３Ａは、同一平面上に位置することとなる。また、前記第１実施形態では、特定演出時において、各第２表示部４２，４３における回動軸４２１，４３１から離間した側の端部を前面側に移動させ表示面４Ａ２が横断面凸状となる特定演出姿勢（第２の姿勢）に設定していたが、図７（Ｂ）に示すように、各第２表示部４２，４３における回動軸４２１，４３１から離間した側の端部を背面側に移動させ表示面４Ａ２が横断面凹状となる特定演出姿勢に設定してもよい。
【００３６】
前記第２実施形態において、前記第１実施形態と同様に、第１スライド駆動部５１や各第２スライド駆動部５４，５５を設け、第１表示部４１を前面側および背面側に移動させたり、各第２表示部４２，４３を左右方向に移動させたりしても構わない。
【００３７】
前記各実施形態では、大当たりが生じた場合に、表示手段４を特定演出姿勢に設定していたが、これに限らず、その他、大当たり抽選を実施する場合、抽選状態がリーチ状態となった場合等に表示手段４を特定演出姿勢に設定してもよい。
前記各実施形態では、画像表示装置３をパチンコ機１に搭載した構成を採用したが、これに限らず、パチスロ機、アーケードゲーム等のゲーム機等の他の遊技機に搭載しても構わない。さらに、遊技機に搭載する構成に限らず、商品に関する商品情報を表示する表示装置、広告情報を表示する表示装置（看板）等として利用しても構わない。
【産業上の利用可能性】
【００３８】
本発明の画像表示装置は、表示画像に視覚的な効果を付加できるため、パチンコ機等の遊技機に利用できる。
【図面の簡単な説明】
【００３９】
【図１】第１実施形態における遊技機としてのパチンコ機の外観を示す斜視図。
【図２】前記実施形態における画像表示装置の構成を示すブロック図。
【図３】前記実施形態における表示手段の構成を模式的に示す図。
【図４】前記実施形態における表示手段の構成を模式的に示す図。
【図５】第２実施形態における表示手段の構成を模式的に示す図。
【図６】第２実施形態における表示手段の構成を模式的に示す図。
【図７】前記第１実施形態の変形例を示す図。
【符号の説明】
【００４０】
１・・・パチンコ機（遊技機）、３・・・画像表示装置、４・・・表示手段、６・・・制御手段、４１・・・第１表示部、４１Ａ〜４３Ａ・・・表示面、４２，４３・・・第２表示部、６３・・・配置制御部、６４・・・表示制御部、４２１，４３１・・・回動軸。
【図１】
2009195371.tif 000003
【図２】
2009195371.tif 000004
【図３】
2009195371.tif 000005
【図４】
2009195371.tif 000006
【図５】
2009195371.tif 000007
【図６】
2009195371.tif 000008
【図７】
2009195371.tif 000009